(57)【特許請求の範囲】
【請求項１】
第１、第２の液晶表示パネルと、
第１の液晶表示パネルの信号線の入力側に配置された電圧制御型の信号入力スイッチと、
第２の液晶表示パネルの信号線の出力側に配置された電圧制御型の信号出力スイッチと、
前記信号出力スイッチと前記信号入力スイッチを接続する配線と、
所定電位の電源線と、
前記配線と前記電源線との間に配置された切換スイッチと、
前記信号入力スイッチと前記信号出力スイッチによって前記配線がいずれの信号線からも電気的に切り離された状態になったときに、前記切換スイッチをオンにして前記配線と前記電源線を接続することにより、前記信号入力スイッチと前記信号出力スイッチが当該状態を維持可能な電位に前記配線の電位を制御する制御手段と、
を有することを特徴とする液晶表示装置。
【請求項２】
前記電源線が対向電源配線であることを特徴とする請求項１記載の液晶表示装置。
【請求項３】
前記電源線が回路駆動電源配線であることを特徴とする請求項１記載の液晶表示装置。
【請求項４】
前記電源線がＧＮＤ配線であることを特徴とする請求項１記載の液晶表示装置。
【発明の詳細な説明】
【技術分野】
【０００１】
本発明は、複数の液晶表示パネルを有する液晶表示装置に関する。
【背景技術】
【０００２】
携帯電話端末などにおいては、小型軽量化、低消費電力化が重要な研究課題である。近年では、液晶表示パネルを複数備えたものが主流となっており、複数の液晶表示パネルを備えた液晶表示装置として、例えば、特許文献１に記載のものが知られている。
【０００３】
複数の液晶表示パネルを備えた液晶表示装置においては、液晶表示パネルを駆動するＩＣの数を減らしたり、配線の本数を減らすなどの工夫により、小型軽量化、低消費電力化が図られている。
【０００４】
図３は、ＩＣの数や配線の本数を減らした従来の液晶表示装置の構成を示す概略図であり、図４は、従来の液晶表示装置の信号線の接続切換を制御する部分の回路図を示している。図３及び図４で示される従来の液晶表示装置は、メイン液晶表示パネル１とサブ液晶表示パネル２の２つの液晶表示パネルと１つの信号出力ＩＣ３を有し、両方の液晶表示パネルは共通の信号出力ＩＣ３により駆動される。信号出力ＩＣ３から延出した信号配線４は、メイン液晶表示パネル１に接続されており、そのうちいくつかの信号配線４はメイン液晶表示パネル１を介して信号配線４１によりサブ液晶表示パネル２に接続されている。また、メイン液晶表示パネル１は、Ｒ，Ｇ，Ｂのそれぞれの信号に対応する信号線１４ａ，１４ｂ，１４ｃを選択するための信号入力スイッチ１１を備え、サブ液晶表示パネル２も同様にＲ，Ｇ，Ｂのそれぞれの信号に対応する信号線２４ａ，２４ｂ，２４ｃを選択するための信号入力スイッチ２１を備えている。さらに、メイン液晶表示パネル１とサブ液晶表示パネル２を接続している信号配線４１には、信号をサブ液晶表示パネル２から切り離すための信号出力スイッチ１２が備えられている。各スイッチは、ＭＯＳ構造の薄膜トランジスタ（ＴＦＴ：Thin Film Transistor）を用いている。
【特許文献１】特開２００４−６１８９２号公報
【発明の開示】
【発明が解決しようとする課題】
【０００５】
しかしながら、上記構成の従来の液晶表示装置では、サブ液晶表示パネル２の表示を消す際に、信号出力スイッチ１２と信号入力スイッチ２１をともにオフにしたとき、信号配線４１は電気的に切り離されて浮いた状態となる。このときに、信号配線４１に静電気が印加されて高電位になると、信号出力スイッチ１２であるＴＦＴがオンになり、印加された静電気がメイン液晶表示パネル１の信号線１４に流れ込む。その結果、メイン液晶表示パネル１に表示ムラを発生させてしまうという問題がある。
【０００６】
本発明は、上記に鑑みてなされたものであり、その課題とするところは、信号線が相互に接続された複数の液晶表示パネルと、信号を切り離すための信号入力スイッチとを有する液晶表示装置において、信号を切り離した際に、液晶表示パネルに現れる表示ムラを防止することにある。
【課題を解決するための手段】
【０００７】
本発明に係る液晶表示装置は、第１、第２の液晶表示パネルと、第１の液晶表示パネルの信号線の入力側に配置された電圧制御型の信号入力スイッチと、第２の液晶表示パネルの信号線の出力側に配置された電圧制御型の信号出力スイッチと、前記信号出力スイッチと前記信号入力スイッチを接続する配線と、所定電位の電源線と、前記配線と前記電源線との間に配置された切換スイッチと、前記信号入力スイッチと前記信号出力スイッチによって前記配線がいずれの信号線からも電気的に切り離された状態になったときに、前記切換スイッチをオンにして前記配線と前記電源線を接続することにより、前記信号入力スイッチと前記信号出力スイッチが当該状態を維持可能な電位に前記配線の電位を制御する制御手段と、を有することを特徴とする。
【０００８】
本発明にあっては、液晶表示パネルの信号線同士を接続する配線が回路から電気的に切り離された状態になったときに、電気的に切り離された配線の電位を、この状態が維持可能な電位に保つことによって、信号線に配置された各スイッチの状態が維持されるので、液晶表示パネルに現れる表示ムラを防止することができる。
【発明の効果】
【０００９】
本発明の液晶表示装置によれば、信号線が相互に接続された複数の液晶表示パネルと、信号を切り離すための信号入力スイッチとを有する液晶表示装置において、信号を切り離した際に、液晶表示パネルに現れる表示ムラを防止することができる。
【発明を実施するための最良の形態】
【００１０】
以下、一実施の形態における液晶表示装置について図面を参照しながら説明する。図１は、本実施の形態における液晶表示装置の全体的な構成の模式図を示し、図２は、本実施の形態における液晶表示装置の信号線の接続切換を制御する部分の回路図を示している。
【００１１】
図１の模式図で示すように、メイン液晶表示パネル１とサブ液晶表示パネル２は、ＦＰＣ（flexible printed circuit）８２を介して接続され、メイン液晶表示パネルの下部には、信号出力ＩＣ３が配置されている。信号出力ＩＣ３は外部のＣＰＵ等とＦＰＣ８１を介して接続される。
【００１２】
図２の回路図で示すように、信号出力ＩＣ３から延出した信号配線４は、メイン液晶表示パネル１に配置された信号入力スイッチ１１を介してＲ，Ｇ，Ｂのそれぞれの信号に対応する信号線１４ａ，１４ｂ，１４ｃに接続されている。いくつかの信号線１４は、信号出力スイッチ１２を介して信号配線４１に接続されている。信号配線４１は、サブ液晶表示パネルに配置された信号入力スイッチ２１を介してＲ，Ｇ，Ｂのそれぞれの信号に対応する信号線２４ａ，２４ｂ，２４ｃに接続されている。各スイッチには電圧制御型トランジスタを用いる。電圧制御型トランジスタにＴＦＴを用いることで、ガラス基板上に形成可能である。
【００１３】
また、信号配線４１は、切換スイッチ６を介して対向電源配線５と接続される。切換スイッチ６の制御端子は制御回路７と接続され、切換スイッチ６のオン・オフは、制御回路７によって制御されている。切換スイッチ６は、例えば、ＭＯＳトランジスタとした場合には、制御端子に相当するゲート端子を制御回路７に接続し、ソース端子を対向電源配線５に、ドレイン端子を信号配線４１に接続する。制御回路７が切換スイッチ６のゲート端子に電圧をかけることにより、ソース端子とドレイン端子の間に電流が流れて信号配線４１の電位は一定になる。
【００１４】
メイン液晶表示パネル１を表示し、サブ液晶表示パネル２を非表示にするときは、メイン液晶表示パネルの信号出力スイッチ１２とサブ液晶表示パネルの信号入力スイッチ２１を両方ともオフにして、信号出力ＩＣ３から出力された信号がメイン液晶表示パネル１のみに供給されるようにする。その結果、信号入力スイッチ２１と信号出力スイッチ１２によって信号配線４１はいずれの信号線からも電気的に切り離された状態となる。このとき、制御回路７は切換スイッチ６をオンにして、信号入力スイッチ２１と信号出力スイッチ１２がその状態を維持可能な電位の対向電源配線５を信号配線４１に接続し、信号配線４１の電位を一定にする。
【００１５】
また、メイン液晶表示パネル１とサブ液晶表示パネル２の両方を表示する場合でも、信号出力スイッチ１２と信号入力スイッチ２１がともにオフになり、信号配線４１がいずれの信号線からも電気的に切り離された状態となるときは、切換スイッチ６をオンにして、信号配線４１の電位を一定にする。
【００１６】
したがって、本実施の形態によれば、信号配線４１を対向電源配線５と接続する切換スイッチ６及び制御回路７を設けて、信号配線４１が、信号入力スイッチ２１と信号出力スイッチ１２によっていずれの信号線からも電気的に切り離された状態となるときに、切換スイッチ６をオンにして、信号入力スイッチ２１と信号出力スイッチ１２がその状態を維持可能な電位の対向電源配線５を信号配線４１に接続することで、信号配線４１の電位が一定になるので、メイン液晶表示パネルに現れる表示ムラを防止することができる。
【００１７】
なお、信号配線４１の電位を信号出力スイッチ１２及び信号入力スイッチ２１の状態を維持可能な電位に保つことができるならば、対向電源配線５の代わりに回路駆動電源配線、ＧＮＤ配線又は別途用意した電源線を用いることができる。
【００１８】
本実施の形態においては、信号配線４１を切換スイッチ６を介して対向電源配線５に接続することによって信号配線４１の電位を制御したが、信号配線４１の電位を信号出力スイッチ１２及び信号入力スイッチ２１の状態を維持可能であるならば、切換スイッチ６を介することなく、例えば、信号配線４１に直接電源を供給するなど、信号配線４１の電位を制御する他の制御手段を用いることもできる。
【００１９】
本実施の形態においては、メイン液晶表示パネル１の信号線１４の数がサブ液晶表示パネル２の信号線２４の数より多い場合について説明したが、これに限られるものではなく、メイン液晶表示パネル１の信号線１４とサブ液晶表示パネル２の信号線２４の数が同数であってもよいし、サブ液晶表示パネル２の信号線２４の数がメイン液晶表示パネル１の信号線１４の数よりも多くてもよい。
【００２０】
本実施の形態においては、液晶表示パネルをメイン液晶表示パネル１とサブ液晶表示パネル２の２つとしたが、これに限られるものではなく、３つ以上の液晶表示パネルを有する液晶表示装置であってもよい。液晶表示パネルの信号線同士が信号配線によって相互に接続されており、その信号配線が回路から電気的に切り離される状態となるならば、その信号配線の電位を制御手段によって制御し、液晶表示パネルに現れる表示ムラを防止することができる。
【図面の簡単な説明】
【００２１】
【図１】一実施の形態における液晶表示装置の構成の模式図
【図２】一実施の形態における液晶表示装置の信号線切換制御部分の回路図
【図３】従来の液晶表示装置の構成の概略図
【図４】従来の液晶表示装置の信号線切換制御部分の回路図
【符号の説明】
【００２２】
１…メイン液晶表示パネル
２…サブ液晶表示パネル
３…信号出力ＩＣ
４，４１…信号配線
１１，２１…信号入力スイッチ
１２…信号出力スイッチ
１４，１４ａ，１４ｂ，１４ｃ…信号線
２４，２４ａ，２４ｂ，２４ｃ…信号線 
５…対向電源配線
６…切換スイッチ
７…制御回路
８１，８２…ＦＰＣ
【図１】
0004828907.tif 000002
【図２】
0004828907.tif 000003
【図３】
0004828907.tif 000004
【図４】
0004828907.tif 000005